(57)【要約】【課題】  本発明は１画面分のデータ解析に要する時間を短くし、しかも負荷を軽減することができる液晶表示制御装置を提供する。  【解決手段】  液晶表示制御装置３０は、液晶表示画面１０に表示する表示画像における各画素値の調整を連動させて、当該液晶表示画面１０の裏側から照明するバックライト２０の発光光量を制御するものであって、表示画像において画像の更新がなされる第１領域について、画像が更新されるごとに、第１領域の画像の状態を検出する更新領域画像状態検出部３２０と、第１領域の周囲の第２領域について、初期画像が表示される時点で、第２領域の画像の状態を検出する周辺領域画像状態検出部３３０と、更新領域画像状態検出部３２０および周辺領域画像状態検出部３３０の各検出結果から表示画像における画素値を調整する画像信号変換部３４０と、各検出結果からバックライト２０の発光光量を制御するバックライト調整部３９０とを備える。【選択図】        図１
2005084540.tif 000002
【特許請求の範囲】
【請求項１】
液晶表示画面に表示する表示画像における各画素値の調整を連動させて、当該液晶表示画面の裏側から照明するバックライトの発光光量を制御する液晶表示制御装置であって、
前記表示画像において画像の更新がなされる第１領域について、画像が更新されるごとに、第１領域の画像の状態を検出する第１画像状態検出手段と、
前記第１領域の周囲の第２領域について、初期画像が表示される時点で、第２領域の画像の状態を検出する第２画像状態検出手段と、
前記第１および第２画像状態検出手段の各検出結果から前記表示画像における画素値を調整する画素値調整手段と、
前記第１および第２画像状態検出手段の各検出結果から前記バックライトの発光光量を制御するバックライト制御手段と
を備えることを特徴とする液晶表示制御装置。
【請求項２】
前記第２画像状態検出手段は、前記液晶表示画面に最初に表示されるときの画像および前記第１領域が移動された直後の画像を初期画像として第２領域の画像の状態を検出する
ことを特徴とする請求項１記載の液晶表示制御装置。
【請求項３】
前記第１領域においては、動画、静止画のスライドショーおよびウェブサイトのブラウズ画像のいずれかを表示し、前記第２領域においては、第１領域の背景となる静止画を表示する
ことを特徴とする請求項１または２記載の液晶表示制御装置。
【請求項４】
前記第１領域はユーザ操作に基づくパラメータで設定される
ことを特徴とする請求項１〜３のいずれか１項に記載の液晶表示制御装置。
【請求項５】
前記第１領域は前記第１領域に表示すべき画像の画像信号に付加される付加情報に基づいて設定される
ことを特徴とする請求項１〜３のいずれか１項に記載の液晶表示制御装置。
【請求項６】
液晶表示画面に所定時間ごとに表示する表示画像における各画素値の調整を連動させて、当該液晶表示画面の裏側から照明するバックライトの発光光量を制御する液晶表示制御装置における液晶表示制御方法であって、
前記表示画像に係る画像の更新がなされる第１領域について、画像が更新されるごとに、第１領域の画像の状態を検出する第１画像状態検出ステップと、
前記表示画像に係る前記第１領域の周囲の第２領域について、初期画像が表示される時点で、第２領域の画像の状態を検出する第２画像状態検出ステップと、
前記第１および第２画像状態検出ステップの各検出結果から前記表示画像における画素値を調整する画素値調整ステップと、
前記第１および第２画像状態検出ステップの各検出結果から前記バックライトの発光光量を制御するバックライト制御ステップと
を含むことを特徴とする液晶表示制御方法。
【請求項７】
請求項６におけるすべてのステップをコンピュータに実行させるためのプログラム。
【請求項８】
コンピュータに請求項６におけるすべてのステップを実行させるためのプログラムを記録したコンピュータ読み取り可能な記録媒体。
【請求項９】
所定時間ごとに表示画像を表示する液晶表示画面と、
前記液晶表示画面の裏側から照明するバックライトと、
請求項１〜５のいずれか１項に記載の液晶表示制御装置と
を備えることを特徴とする画像表示装置。
【発明の詳細な説明】
【技術分野】
【０００１】
本発明は、液晶表示制御装置等に関し、特に、液晶表示装置入力された入力画像信号を基に画像を表示する液晶表示画面の透過率を制御するとともに、入力画像信号を基に液晶表示画面の裏側から照明するバックライトの発光光量を液晶の透過率に対応させて制御する液晶表示制御装置および液晶表示装置等に関する。
【背景技術】
【０００２】
近年、例えばいわゆるノート型パーソナルコンピュータ（以下、ノートパソコンと略記する）等のバッテリで駆動される携帯情報端末における表示画面として、液晶表示画面が広く使用されている。このような液晶表示画面は、この裏側から照明するバックライトと、画像データに基づいて液晶表示画面の画素ごとに液晶の透過率（画素値）を調整するとともに、バックライトの発光光量を制御する液晶表示制御装置とで液晶表示装置が構成される。
【０００３】
ところで、液晶表示画面は薄くコンパクトであるため携帯情報端末機器に多用されているが、そのバックライトには５Ｗ程度の電力を消費し、ノートパソコンを例にとると、そのノートパソコン全体の消費電力の１／４から１／２程度に達している。携帯情報端末は、通常、電池などで動作するように構成されているため、いかにして省電力化を図るかが大きな問題である。
【０００４】
省電力化を図るように改善される画像表示装置の従来例について図面を用いて説明する。
図２０は、従来の液晶表示装置の構成を示すブロック図である。
画像表示装置は、液晶表示画面９２０の輝度とバックライト９２１の発光光量を制御する画像表示制御装置９００を備えている。画像表示制御装置９００は、データ解析部９０１が画像メモリ９１０から入力される画像データから、画像の輝度を上昇させることのできる余裕度を求め、データ調整部９０２はその求めた余裕度に基づいて画像データの輝度を調整し、その調整された画像データを基に画像コントローラ９０３が駆動信号を生成して、液晶表示画面９２０に画像を表示する。また、データ解析部９０１が求めた余裕度に応じて、調光部９０４がバックライト９２１の発光光量を調整する。
【０００５】
これにより、画像表示制御装置９００は、液晶表示画面９２０の透過率をできるだけ上げるように画像データを調整し、その分バックライト９２１の発光光量を下げるように調整して、画像データの調整およびバックライトの発光光量の調整を行わなかったときと変わりのない画像を表示可能にするとともに省電力化を図るようにしている（特許文献１参照）。
【特許文献１】特開平１１−６５５３１号公報（全文）
【発明の開示】
【発明が解決しようとする課題】
【０００６】
しかしながら、この従来の液晶表示制御装置のデータ解析部においては、所定の時間（フレーム周期）ごとに１画面分の画像データから、画像の輝度を上昇させることのできる余裕度を求めている。したがって、１画面分のデータ解析に要する時間が長く、しかも負荷が大きいという問題がある。
そこで、上記の課題を解決するために、本発明は１画面分のデータ解析に要する時間を短くし、しかも負荷を軽減することができる液晶表示制御装置および液晶表示装置等を提供することを目的とする。
【課題を解決するための手段】
【０００７】
ところで、近年におていは、携帯情報端末の画面表示にウインドウシステムが広く採用され、表示画面の一部領域であるウインドウ枠内で動画像を表示するようなことが一般化しつつある。このような場合には、液晶表示制御に入力される画像データは、一部領域用の画像だけが更新されるので、表示画面の任意の矩形領域用だけが入力されることが一般的である。つまり、一部領域の周囲の周囲領域の画像データは、初期画像が表示される時点に入力されるだけで、一部領域が移動されたない限り送られてこない。このため、本願発明者は、周囲領域の画像データの状態については、初期画像が表示される時点で周囲画像の状態を検出しておけば、この検出結果を後の時点で使い回しできることに想到するに至った。そこで、１画面分のデータ解析に要する時間を短くし、しかも負荷を軽減することができる液晶表示制御装置および液晶表示装置等を考案した。
【０００８】
つまり、本発明に係る液晶表示制御装置においては、液晶表示画面に表示する表示画像における各画素値の調整を連動させて、当該液晶表示画面の裏側から照明するバックライトの発光光量を制御する液晶表示制御装置であって、前記表示画像において画像の更新がなされる第１領域について、画像が更新されるごとに、第１領域の画像の状態を検出する第１画像状態検出手段と、前記第１領域の周囲の第２領域について、初期画像が表示される時点で、第２領域の画像の状態を検出する第２画像状態検出手段と、前記第１および第２画像状態検出手段の各検出結果から前記表示画像における画素値を調整する画素値調整手段と、前記第１および第２画像状態検出手段の各検出結果から前記バックライトの発光光量を制御するバックライト制御手段とを備えることを特徴とする。
【０００９】
ここで、本発明に係る液晶表示制御装置においては、前記第２画像状態検出手段は、前記液晶表示画面に最初に表示されるときの画像および前記第１領域が移動された直後の画像を初期画像として第２領域の画像の状態を検出することを特徴とすることもできる。
また、本発明に係る液晶表示制御装置においては、前記第１領域においては、動画、静止画のスライドショーおよびウェブサイトのブラウズ画像のいずれかを表示し、前記第２領域においては、第１領域の背景となる静止画を表示することを特徴としてもよい。
【００１０】
また、本発明に係る液晶表示制御装置においては、前記第１領域は、ユーザ操作に基づくパラメータで設定されることを特徴とすることもできる。
また、本発明に係る液晶表示制御装置においては、前記第１領域は前記第１領域に表示すべき画像の画像信号に付加される付加情報に基づいて設定されることを特徴としてもよい。
【００１１】
なお、本発明は、このような液晶表示制御装置として実現することができるだけでなく、このような液晶表示制御装置が備える特徴的な手段をステップとする液晶表示制御方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのはいうまでもない。
【００１２】
また、所定時間ごとに表示画像を表示する液晶表示画面と、前記液晶表示画面の裏側から照明するバックライトと、上記の液晶表示制御装置とを備えることを特徴とする画像表示装置として実現することもできる。
【発明の効果】
【００１３】
以上の説明から明らかなように、本発明に係る液晶表示制御装置によれば、表示画像に係る第１領域の周囲の第２領域について、初期画像が表示される時点で、第２領域の画像の状態を検出することで、後の時点で第２領域の画像の状態の検出結果を使い回すことができるので、１画面分のデータ解析に要する時間を短くし、しかも負荷を軽減することができる液晶表示制御装置が実現される。
【００１４】
よって、本発明により、後の時点で第２領域の画像の状態の検出結果を使い回すことができ、液晶表示画面を用いた携帯情報端末が普及してきた今日における本願発明の実用的価値は極めて高い。
【発明を実施するための最良の形態】
【００１５】
以下、本発明の実施の形態について、図面を用いて詳細に説明する。
図１は、本発明の液晶表示装置の構成を示すブロック図である。
液晶表示装置１は、携帯電話機や、ノート型パーソナルコンピュータなどの携帯情報端末装置に搭載され、液晶の透過率に応じた画像を表示する液晶表示画面１０と、液晶表示画面１０を裏側から照明するバックライト２０と、入力される画像信号を基に、液晶表示画面１０の液晶の透過率を調整するとともに、液晶の透過率に対応させてバックライト２０の発光光量を調整する機能を有する液晶表示制御装置３０とから構成される。
【００１６】
この液晶表示制御装置３０は、ＴＶ放送などの動画における入力画像信号を基に、１静止画像（以後、１フレームと称する）ごとの画像の状態を更新領域と周辺領域とに分けて検出し、その画像の状態に応じて液晶表示画面１０の液晶の透過率（輝度値等）を調整する制御信号を出力するとともに、上記画像の状態に応じて、バックライト２０の発光光量を調整する制御信号を出力するものであり、画像メモリ制御部３００と、画像メモリ３１０と、更新領域画像状態検出部３２０と、周辺領域画像状態検出部３３０と、画像信号変換部３４０と、出力信号選択部３５０と、パラメータ決定部３６０と、ディスプレイコントローラ３７０と、データ解析部３８０と、バックライト調整部３９０などとから構成される。
【００１７】
更新領域画像状態検出部３２０は、最大値検出部３２１および合計値計算部３２２からなる。周辺領域画像状態検出部３３０は、更新領域画像状態検出部３２０と同じく、最大値検出部３３１および合計値計算部３３２からなる。
画像メモリ制御部３００は、入力画像信号を画像メモリ３１０の所定の領域へ書き込むとともに、画像メモリ３１０から読み出した画像信号を色相、輝度、彩度などの色の情報を持った情報信号に変換する。
【００１８】
画像メモリ３１０は、画像メモリ制御部３００による制御に基づいて、フレームごとに入力される入力画像信号を更新しつつ保持するとともに、先に入力された入力信号を保持する。
更新領域画像状態検出部３２０は、液晶表示制御装置３０に入力された液晶表示画面１０の一部を表す矩形領域の入力画像信号において、１フレームごとの画像の状態を検出する。
【００１９】
周辺領域画像状態検出部３３０は、全領域色空間変換部３０５が出力する画像信号のうち、更新領域画像状態検出部３２０が処理しない周辺領域の画像信号を処理するものであり、周辺領域の画像の状態をフレームの変更の際に検出する。
データ解析部３８０は、更新領域画像状態検出部３２０および周辺領域画像状態検出部３３０から出力されるフレーム毎の各画素における輝度信号Ｉの合計値と、彩度信号Ｓ１の合計値から画素毎の輝度信号Ｉと彩度信号Ｓ１の平均値をそれぞれ求め、それぞれの平均値と、フレーム毎の各画素における輝度信号Ｉの最大値とからフレーム毎の画像の状態を解析する。
【００２０】
バックライト調整部３９０は、データ解析部３８０から出力される制御量に応じて、バックライトの発光光量を調整する調整値を演算し、バックライト２０に出力する。
パラメータ決定部３６０は、ユーザからの指示とデータ解析部３８０の解析結果に基づいて、所定のパラメータを画像メモリ制御部３００、更新領域画像状態検出部３２０、周辺領域画像状態検出部３３０、画像信号変換部３４０および出力信号選択部３５０に出力する。
【００２１】
画像信号変換部３４０は、画像の輝度信号および彩度信号を変換することによって、液晶表示画面１０の液晶の透過率を調整するための制御信号を出力する。
出力信号選択部３５０は、ユーザからの指示によりパラメータ決定部３６０が決定したパラメータ値に基づいて、液晶表示制御装置３０に入力される画像信号と、減色処理部３４４から出力される画像信号のうちのいずれか一方の画像信号をフレームごとに選択して、選択した方の画像信号をディスプレイコントローラ３７０に出力する。
【００２２】
ディスプレイコントローラ３７０は、出力信号選択部３５０が選択した画像信号を基に液晶表示画面１０に表示する液晶の透過率を演算し、液晶表示画面１０に出力する。
ここで、液晶表示画面１０に出力される画像信号（以後、「出力画像信号」とも記す。）と、液晶表示制御装置３０に入力される画像信号（以後、「入力画像信号」とも記す。）とについて説明する。
【００２３】
図２は、１フレームの出力画像信号および入力画像信号を示す説明図である。
図２に示されるように、１フレームの出力画像信号および入力画像信号は、水平方向および垂直方向にそれぞれ区切られている。なお、区切られた矩形の最小単位を画素という。各画素は、色の成分であるＲ成分、Ｇ成分およびＢ成分で一意に表される１つの属性を持っている。
【００２４】
図２に示されるように、１フレームの出力画像信号および入力画像信号において水平方向をＸ軸、垂直方向をＹ軸とし、１フレームの左上角の座標を（０，０）とすると、各画素は座標値（ｘ、ｙ）で表される。図２では、１フレームの出力画像信号および入力画像信号が水平方向にＭ＋１個（Ｍ＋１は２以上の正の整数）の画素に分割され、垂直方向にＮ＋１個（Ｎ＋１は２以上の正の整数）の画素に分割されている。
【００２５】
この１フレームの出力画素信号は、まず水平方向における最上段の座標（０，０）、座標（１，０）、座標（２，０）、・・・、座標（Ｍ、０）で示される画素の順、次いで、次の段の座標（０、１）、座標（１，１）、座標（２，１）、・・・、座標（Ｍ、１）で示される画素の順のように、左から右へ、上段から下段に向かって、液晶表示制御装置３０から出力される。以下の画素も同様にして順次出力され、最後に水平方向の一番下段の座標（０、Ｎ）、座標（１、Ｎ）、座標（２、Ｎ）、・・・、座標（Ｍ、Ｎ）で示される画素の順に出力される。
【００２６】
このように、液晶表示制御装置３０から出力される画像信号の１フレーム分の画像信号は、各画素の属性を表す個々の画像信号が、上述した処理を行う順にシリアルに配置されている。
一方、この１フレームの入力画素信号は、各画素は座標値（ｘ、ｙ）で表される。図２の例では、１フレームの出力画像信号および入力画像信号が水平方向にＭ＋１個の画素に分割され、垂直方向にＮ＋１個の画素に分割されている出力画像信号の領域のうちの任意の矩形領域が入力される。
【００２７】
図２に示されるように、この１フレームの入力画素信号は、まず水平方向における任意の矩形領域の最上段の座標（ｘｓ，ｙｓ）、座標（１，ｙｓ）、座標（２，ｙｓ）、・・・、座標（ｘｅ、ｙｓ）で示される画素の順、次いで、次の段の座標（ｘｓ、ｙｓ＋１）、座標（ｘｓ＋１，ｙｓ＋１）、座標（ｘｓ＋２，ｙｓ＋１）、・・・、座標（ｘｅ、ｙｓ＋１）で示される画素の順に、左から右へ、上段から下段に向かって、液晶表示制御装置３０に入力される。以下の画素も同様にして順次入力され、最後に任意の矩形領域の水平方向の一番下段の座標（ｘｓ、ｙｅ）、座標（ｘｓ＋１、ｙｅ）、座標（ｘｓ＋２、ｙｅ）、・・・、座標（ｘｅ、ｙｅ）で示される画素の順に入力される。
【００２８】
このように、液晶表示制御装置３０に入力される入力画像信号の１フレーム分の画像信号は、各画素の属性を表す個々の画像信号が、上述した処理を行う順にシリアルに配置されている。つまり、液晶表示画面１０において液晶表示画面１０のサイズよりも小さなウインドウの領域内で動画を表示させるような場合、ウインドウ周囲のリング状の周辺領域については、ディスクトップ等の背景画像等、最初の画面用の入力画像信号が液晶表示制御装置３０に対して１回だけ入力され、ウインドウ内の領域については、動画用の入力画像信号が液晶表示制御装置３０に対してフレームごとに入力される。
【００２９】
次に、液晶表示制御装置３０の各部構成について順次詳細に説明する。
図３は、画像メモリ制御部３００の構成を示すブロック図である。
画像メモリ制御部３００は、メモリアクセス部３０１と、更新領域増色処理部３０２と、更新領域色空間変換部３０３と、全領域増色処理部３０４と、全領域色空間変換部３０５とから構成される。
【００３０】
メモリアクセス部３０１は、入力画像信号の画像メモリ３１０への書き込みや、この入力画像信号および１画面全領域についての画像信号の読み出しを制御する。
図４は、メモリアクセス部３０１によって処理される入力画像信号のデータフローを示すブロック図である。
図４に示されるように、メモリアクセス部３０１は、パラメータ決定部３６０から出力される任意の矩形領域（「更新領域」とも記す。）の情報に基づいて、入力画像信号を画像メモリ３１０の対応する領域に書き込む。そして、メモリアクセス部３０１は、入力画像信号を更新領域増色処理部３０２に出力する。また、メモリアクセス部３０１は、１フレーム分の画素を画像メモリ３１０から読み出し、読み出した画像信号を全領域増色処理部３０４へ出力する。
【００３１】
図５は、更新領域増色処理部３０２の構成を示すブロック図である。
更新領域増色処理部３０２は、入力される更新領域の画像信号を画素ごとに色のＲＧＢ成分である成分信号Ｒ、成分信号Ｇおよび成分信号Ｂに分解し、分解した各色の成分信号の階調を変更して出力するものであり、色分解部３０２１と、Ｒ成分増色部３０２２と、Ｇ成分増色部３０２３と、Ｂ成分増色部３０２４とから構成される。
【００３２】
色分解部３０２１は、図１に示されるパラメータ決定部３６０が決定したパラメータ値（カラーフォーマット）に基づいて、入力された画像信号を５ビットあるいは６ビットで表される成分信号Ｒ、成分信号Ｇおよび成分信号Ｂにそれぞれ分解する。
図６は、全領域増色処理部３０４の構成を示すブロック図である。
全領域増色処理部３０４は、入力される全領域の画像信号を画素ごとに色のＲＧＢ成分である成分信号Ｒ、成分信号Ｇおよび成分信号Ｂに分解し、分解した各色の成分信号の階調を変更して出力するものであり、更新領域増色処理部３０２と同様、色分解部３０４１と、Ｒ成分増色部３０４２と、Ｇ成分増色部３０４３と、Ｂ成分増色部３０４４とから構成される。
【００３３】
色分解部３０４１は、図１に示すパラメータ決定部３６０が決定したパラメータ値（カラーフォーマット）に基づいて、入力された全領域の画像信号を各々が５ビットあるいは６ビットで表される成分信号Ｒ、成分信号Ｇおよび成分信号Ｂに分解する。
更新領域増色処理部３０２および全領域増色処理部３０４に入力されるパラメータ値は、パラメータ決定部３６０がキーボードなどの図示しない操作部を介してユーザによる入力を受け付け、そのユーザからの入力に基づいて決定した値や、フレームごとの画像に状態に応じて演算によって決定する値である。ここで、パラメータ決定部３６０へのユーザからの入力による指示は、更新領域増色処理部３０２および全領域増色処理部３０４のＲ成分増色部３０２２，３０４２と、Ｇ成分増色部３０２３，３０４３と、Ｂ成分増色部３０２４，３０４４とが各色の成分信号における色の階調を５ビットあるいは６ビットから８ビットにそれぞれ変更することに対応している。
【００３４】
図７（ａ）は、各色の成分信号の階調を変更する前における画素ごとの画素信号を示す図である。
図７（ａ）に示すように、座標（０、０）、座標（１、０）、座標（２、０）の各画素は、成分信号Ｒのビット深度が５ビット、成分信号Ｇのビット深度が６ビット、成分信号Ｂのビット深度が５ビットで表されている。この各画素におけるビットでの表現は、液晶表示画面１０に対応したフォーマットになっている。
【００３５】
このように分解して得られた各色の成分信号についての階調がそれぞれ高くなるように、上述したＲ成分増色部３０２２，３０４２と、Ｇ成分増色部３０２３，３０４３と、Ｂ成分増色部３０２４，３０４４とは、パラメータ決定部３６０が決定したパラメータ値に基づいてカラーフォーマットの変更を行う。
図７（ｂ）は、各色の成分信号における階調の変更後における映像信号の一例を示す図である。
【００３６】
図７（ｂ）に示すように、座標（０、０）、座標（１、０）、座標（２、０）の各画素は、Ｒ成分信号、Ｇ成分信号およびＢ成分信号のビット深度が８ビットで表されている。
この色の階調を変更する例として、Ｒ成分増色部３０２２，３０４２が、色の階調が５ビットである成分信号から色の階調が８ビットである成分信号に変更した状態を説明する。
【００３７】
図８は、色の成分の階調を変更するときの一例を示す模式図である。
図８に示すように、成分信号５１１は、Ｒ成分増色部３０２２，３０４２に入力される色の階調が５ビットである信号であり、成分信号５１２は、Ｒ成分増色部３０２２，３０４２から出力される色の階調が８ビットである信号である。
このとき、Ｒ成分増色部３０２２，３０４２は、色の階調が５ビットである成分信号５１１の上位３ビットをその成分信号５１１の下位に付加して、色の階調が８ビットの成分信号５１２に変更している。このような変更を行うことで、値が直線状となり、分解能が上がる。そして、このように、更新領域増色処理部３０２および全領域増色処理部３０４が色の階調を高くなるように変更することで、後に続く処理において精度の高い処理を行うことができ、最終的に出力される画像信号は高品位なものになり、バックライト２０の調整の精度も上がることになる。
【００３８】
図９は、更新領域色空間変換部３０３の構成を示すブロック図である。
更新領域色空間変換部３０３は、更新領域増色処理部３０２から出力される更新領域に係る成分信号Ｒ、成分信号Ｇ、成分信号Ｂを輝度、彩度などの色の情報を持った情報信号に変換するものであり、大小関係検出部３０３１と、輝度計算部３０３３と、第１彩度計算部３０３４とから構成される。
【００３９】
大小関係検出部３０３１は、更新領域増色処理部３０２から出力された各画素における成分信号Ｒ、成分信号Ｇおよび成分信号Ｂの中で、いずれが最大値、中間値および最小値であるかの大小関係を検出する。入力される画像信号について、この大小関係検出部３０３１が例えば成分信号Ｒが最大値であると検出すると、その画素は赤みがかっていることを示している。
【００４０】
輝度計算部３０３３は、更新領域増色処理部３０２から出力された成分信号Ｒ、成分信号Ｇおよび成分信号Ｂの信号値と、大小関係検出部３０３１で検出した大小関係と、パラメータ決定部３６０が決定したパラメータ値とから、色の情報信号である輝度信号Ｉを算出し、算出した輝度信号Ｉを更新領域画像状態検出部３２０の最大値検出部３２１および合計値計算部３２２に出力する。
【００４１】
第１彩度計算部３０３４は、更新領域増色処理部３０２から出力された成分信号Ｒ、成分信号Ｇおよび成分信号Ｂの信号値と、大小関係検出部３０３１で検出した大小関係と、パラメータ決定部３６０が決定したパラメータ値とから、色の情報信号である彩度信号Ｓ１を算出し、算出した彩度信号Ｓ１を更新領域画像状態検出部３２０の合計値計算部３２２に出力する。
【００４２】
図１０は、全領域色空間変換部３０５の構成を示すブロック図である。
全領域色空間変換部３０５は、全領域増色処理部３０４から出力される全領域の成分信号Ｒ、成分信号Ｇ、成分信号Ｂを色相、輝度、彩度などの色の情報を持った情報信号に変換するものであり、大小関係検出部３０５１と、色相計算部３０５２と、輝度計算部３０５３と、第１彩度計算部３０５４と、第２彩度計算部３０５５とから構成される。
【００４３】
大小関係検出部３０５１は、全領域増色処理部３０４から出力された各画素における成分信号Ｒ、成分信号Ｇおよび成分信号Ｂの中で、いずれが最大値、中間値および最小値であるかの大小関係を検出する。入力される画像信号について、この大小関係検出部３０５１が例えば成分信号Ｒが最大値であると検出すると、その画素は赤みがかっていることを示している。
【００４４】
色相計算部３０５２は、この全領域色空間変換部３０５に特有のブロックで、全領域増色処理部３０４から出力された成分信号Ｒ，成分信号Ｇおよび成分信号Ｂの信号値と、大小関係検出部３０５１で検出した大小関係と、パラメータ決定部３６０が決定したパラメータ値とから、色の情報信号である色相信号Ｈを算出し、画像信号変換部３４０に出力する。
【００４５】
輝度計算部３０５３は、全領域増色処理部３０４から出力された成分信号Ｒ、成分信号Ｇおよび成分信号Ｂの信号値と、大小関係検出部３０５１で検出した大小関係と、パラメータ決定部３６０が決定したパラメータ値とから、色の情報信号である輝度信号Ｉを算出し、算出した輝度信号Ｉを画像信号変換部３４０と、周辺領域画像状態検出部３３０の最大値検出部３３１および合計値計算部３３２に出力する。
【００４６】
第１彩度計算部３０５４は、全領域増色処理部３０４から出力された成分信号Ｒ、成分信号Ｇおよび成分信号Ｂの信号値と、大小関係検出部３０５１で検出した大小関係と、パラメータ決定部３６０が決定したパラメータ値とから、色の情報信号である彩度信号Ｓ１を算出し、算出した彩度信号Ｓ１を画像信号変換部３４０と、周辺領域画像状態検出部３３０の合計値計算部３３２に出力する。
【００４７】
第２彩度計算部３０５５は、この全領域色空間変換部３０５に特有のブロックで、全領域増色処理部３０４から出力された成分信号Ｒ、成分信号Ｇおよび成分信号Ｂの信号値と、大小関係検出部３０３１で検出した大小関係と、パラメータ決定部３６０が決定したパラメータ値とから、色の情報信号である彩度信号Ｓ２を算出し、画像信号変換部３４０に出力する。
【００４８】
次に、更新領域画像状態検出部３２０の最大値検出部３２１および合計値計算部３２２について順次説明する。
図１１は、最大値検出部３２１の構成を示すブロック図である。
最大値検出部３２１は、更新領域色空間変換部３０３から出力される更新領域に係る輝度信号Ｉからフレームごとの各画素の最大輝度を検出するものであり、水平方向ローパスフィルタ部３２１１と、水平方向最大値検出部３２１２と、垂直方向ローパスフィルタ部３２１３と、垂直方向最大値検出部３２１４と、最大値保持部３２１５とから構成される。
【００４９】
水平方向ローパスフィルタ部３２１１は、パラメータ決定部３６０から出力されるパラメータ値に基づいて、更新領域色空間変換部３０３から出力される輝度信号Ｉの高周波成分を除去する。
水平方向最大値検出部３２１２は、水平方向ローパスフィルタ部３２１１から出力された輝度信号Ｉにおいて、１フレームごとの各水平方向の画素単位で最大値を検出し、検出結果を輝度信号Ｉとともに垂直方向ローパスフィルタ部３２１３に出力する。
【００５０】
垂直方向ローパスフィルタ部３２１３は、パラメータ決定部３６０からの出力されるパラメータ値に基づいて、水平方向最大値検出部３２１２から出力される輝度信号Ｉの高周波成分を除去する。
垂直方向最大値検出部３２１４は、垂直方向ローパスフィルタ部３２１３から出力された輝度信号Ｉを取得し、１フレームごとの各垂直方向の画素単位で最大値を検出して、最大値保持部３２１５に出力する。
【００５１】
最大値保持部３２１５は、垂直方向最大値検出部３２１４から出力された値、すなわち、更新領域に係る各フレームにおける各画素の輝度信号Ｉの最大値を保持し、データ解析部３８０に出力する。
図１２は、合計値計算部３２２の構成を示すブロック図である。
合計値計算部３２２は、フレームごとに各画素の彩度信号と輝度信号のそれぞれの合計値を求めるものであり、データリミット部３２２１と、加算器３２２２と、合計値保持部３２２３とを備える。この合計値計算部３２２によって得られる合計値からその平均を取ることで、フレームごとの輝度と彩度の概算値を知ることができる。
【００５２】
データリミット部３２２１は、輝度計算部３０３３から出力される画素ごとの輝度信号Ｉおよび第１彩度計算部３０３４から出力される画素ごとの彩度信号Ｓ１を有効である上限値に制限して加算器３２２２に出力する。このとき、データリミット部３２２１は、パラメータ決定部３６０から出力されるパラメータ値と、輝度計算部３０３３から出力される画素ごとの輝度信号Ｉとから、画素ごとの輝度信号Ｉにおいて有効である上限値を算出するとともに、同じくパラメータ値と第１彩度計算部３０３４から出力される画素ごとの彩度信号Ｓ１とから、画素ごとの彩度信号Ｓ１において有効である上限値を算出する。そして、データリミット部３２２１は、輝度計算部３０３３から出力される画素ごとの輝度信号Ｉと第１彩度計算部３０３４から出力される画素ごとの彩度信号Ｓ１が算出した上限値を超えているときは、その輝度信号Ｉと彩度信号Ｓ１を上記算出した上限値にして加算器３２２２に出力する。
【００５３】
加算器３２２２は、データリミット部３２２１から出力された各画素の輝度信号Ｉをフレームごとに加算することによって合計値を算出し、算出した輝度信号Ｉの合計値を合計値保持部３２２３に出力するとともに、各画素の彩度信号Ｓ１をフレームごとに加算することによって合計値を算出し、算出した彩度信号Ｓ１の合計値を合計値保持部３２２３に出力する。
【００５４】
合計値保持部３２２３は、加算器３２２２が出力した各フレームにおける画素ごとの輝度信号Ｉの合計値と、各フレームにおける彩度信号Ｓ１の合計値を保持し、データ解析部３８０に出力する。
【００５５】
次に、周辺領域画像状態検出部３３０の最大値検出部３３１および合計値計算部３３２について順次説明する。
図１３は、最大値検出部３３１の構成を示すブロック図である。
最大値検出部３３１は、全領域色空間変換部３０５から出力される全領域に含まれる周辺領域の輝度信号Ｉからフレームごとの各画素の最大輝度を検出するものであり、水平方向ローパスフィルタ部３３１１と、水平方向最大値検出部３３１２と、垂直方向ローパスフィルタ部３３１３と、垂直方向最大値検出部３３１４と、最大値保持部３３１５とから構成される。
【００５６】
水平方向ローパスフィルタ部３３１１は、パラメータ決定部３６０から出力されるパラメータ値に基づいて、全領域色空間変換部３０５から出力される全領域に含まれる周辺領域の輝度信号Ｉの高周波成分を除去する。
水平方向最大値検出部３３１２は、水平方向ローパスフィルタ部３３１１から出力された輝度信号Ｉにおいて、１フレームごとの各水平方向の画素単位で最大値を検出し、検出結果を輝度信号Ｉとともに垂直方向ローパスフィルタ部３３１３に出力する。
【００５７】
垂直方向ローパスフィルタ部３３１３は、パラメータ決定部３６０からの出力されるパラメータ値に基づいて、水平方向最大値検出部３３１２から出力される輝度信号Ｉの高周波成分を除去する。
垂直方向最大値検出部３３１４は、垂直方向ローパスフィルタ部３３１３から出力された輝度信号Ｉを取得し、１フレームごとの各垂直方向の画素単位で最大値を検出して、最大値保持部３３１５に出力する。
【００５８】
最大値保持部３３１５は、垂直方向最大値検出部３３１４から出力された値、すなわち、各フレームにおける各画素の輝度信号Ｉの最大値を保持し、データ解析部３８０に出力する。
図１４は、合計値計算部３３２の構成を示すブロック図である。
合計値計算部３３２は、フレームごとに各画素の彩度信号と輝度信号のそれぞれの合計値を求めるものであり、データリミット部３３２１と、加算器３３２２と、合計値保持部３３２３とを備えている。この合計値計算部３３２によって得られる合計値からその平均を取ることで、フレームごとの輝度と彩度の概算値を知ることができる。
【００５９】
データリミット部３３２１は、輝度計算部３０５３から出力される画素ごとの輝度信号Ｉおよび第１彩度計算部３０５４から出力される画素ごとの彩度信号Ｓ１を有効である上限値に制限して加算器３３２２に出力する。このとき、データリミット部３３２１は、パラメータ決定部３６０から出力されるパラメータ値と、輝度計算部３０５３から出力される画素ごとの輝度信号Ｉとから、画素ごとの輝度信号Ｉにおいて有効である上限値を算出するとともに、同じくパラメータ値と第１彩度計算部３０５４から出力される画素ごとの彩度信号Ｓ１とから、画素ごとの彩度信号Ｓ１において有効である上限値を算出する。そして、データリミット部３３２１は、輝度計算部３０５３から出力される画素ごとの輝度信号Ｉと第１彩度計算部３０５４から出力される画素ごとの彩度信号Ｓ１が算出した上限値を超えているときは、その輝度信号Ｉと彩度信号Ｓ１を上記算出した上限値にして加算器３３２２に出力する。
【００６０】
加算器３３２２は、データリミット部３３２１から出力された各画素の輝度信号Ｉをフレームごとに加算して合計値を算出して合計値保持部３３２３に出力するとともに、各画素の彩度信号Ｓ１をフレームごとに加算して合計値を算出し合計値保持部３３２３に出力する。
合計値保持部３３２３は、加算器３３２２が出力した各フレームにおける画素ごとの輝度信号Ｉの合計値と、各フレームにおける彩度信号Ｓ１の合計値を保持し、データ解析部３８０に出力する。
【００６１】
データ解析部３８０は、更新領域画像状態検出部３２０の合計値計算部３２２および周辺領域画像状態検出部３３０の合計値計算部３３２から出力されるフレームごとの各画素における輝度信号Ｉの合計値と、彩度信号Ｓ１の合計値から画素ごとの輝度信号Ｉと彩度信号Ｓ１の平均値をそれぞれ求め、それぞれの平均値と、更新領域画像状態検出部３２０の最大値検出部３２１および周辺領域画像状態検出部３３０の最大値検出部３３１から出力されるフレームごとの各画素における輝度信号Ｉの最大値とからフレームごとの画像の状態を解析する。
【００６２】
そして、データ解析部３８０は、その画像の状態に応じて輝度信号および彩度信号を適切に制御する制御量を示す信号をパラメータ決定部３６０に出力するとともに、バックライトの発光光量を適切に制御するための制御量をバックライト調整部３９０に出力する。
また、データ解析部３８０は、更新領域画像状態検出部３２０および周辺領域画像状態検出部３３０が検出したフレームごとの画像の状態に応じて輝度信号および彩度信号を適切に制御する制御量を示す信号をパラメータ決定部３６０に出力する。さらに、データ解析部３８０は、更新領域画像状態検出部３２０および周辺領域画像状態検出部３３０が検出したフレームごとの画像の状態に応じて輝度信号および彩度信号を適切に制御する制御量を示す信号をパラメータ決定部３６０に出力する。
【００６３】
また、データ解析部３８０は、更新領域画像状態検出部３２０および周辺領域画像状態検出部３３０が検出したフレームごとの画像の状態に応じて輝度信号および彩度信号を適切に制御する制御量を示す信号をパラメータ決定部３６０に出力する。
また、データ解析部３８０は、更新領域画像状態検出部３２０および周辺領域画像状態検出部３３０が検出したフレームごとの画像の状態に応じて輝度信号および彩度信号を適切に制御する制御量を示す信号をパラメータ決定部３６０に出力する。
このとき、データ解析部３８０からの制御信号により画像の状態に応じてバックライト調整部３９０は、輝度が高くなるように変換した値に対応させて、バックライト２０の発光光量を下げる。これにより、実際に見える画像の状態を変化させずにバックライト２０の発光光量を下げることによる省電力化が図れる。
【００６４】
パラメータ決定部３６０は、データ解析部３８０から出力されたフレームごとの画像の状態に応じて輝度信号および彩度信号を適切に制御する制御量を示す信号に基づいて、画像信号変換部３４０においてその輝度信号Ｉを適切に制御する制御量を基に輝度信号Ｉを変換するパラメータ値を決定する。
また、パラメータ決定部３６０は、その彩度信号Ｓ１を適切に制御する制御量を基に彩度信号Ｓ１を変換するパラメータ値を決定する。
【００６５】
パラメータ決定部３６０は、その輝度信号Ｉを適切に制御する制御量を基に輝度信号Ｉを変換するパラメータ値を決定する。
パラメータ決定部３６０は、その彩度信号Ｓ１を適切に制御する制御量を基に彩度信号Ｓ１を変換するパラメータ値を決定する。
次に、画像信号変換部３４０について説明する。
【００６６】
図１５は、画像信号変換部３４０の構成を示すブロック図である。
画像信号変換部３４０は、更新領域画像状態検出部３２０および周辺領域画像状態検出部３３０が検出した画像の状態を基に、全領域色空間変換部３０５が出力する画像の輝度信号および彩度信号を変換し、変換した輝度信号および彩度信号からＲＧＢからなる色の各成分信号である成分信号Ｒ’と成分信号Ｇ’と成分信号Ｂ’を生成し、それぞれの成分信号における色の階調を変更して出力信号選択部３５０へ出力するものであり、輝度変換部３４１と、彩度変換部３４２と、第２色空間変換部３４３と、減色処理部３４４を備える。
【００６７】
輝度変換部３４１は、全領域色空間変換部３０５が出力する輝度信号Ｉに対して、パラメータ決定部３６０が決定したパラメータ値に基づいて演算処理を施し、輝度信号Ｉ’に変換して第２色空間変換部３４３に出力する。
このように、輝度変換部３４１では、フレームごとの画像の状態に応じて輝度信号Ｉを変換する。例えばフレームごとの画像が全体的に輝度の低い画像であれば輝度を高くする余裕があるとして、輝度変換部３４１はその輝度が高くなるように変換する。
【００６８】
彩度変換部３４２は、全領域色空間変換部３０５が出力する彩度信号Ｓ１にパラメータ決定部３６０が決定したパラメータ値に基づいて演算処理を施し彩度信号Ｓ１’に変換して第２色空間変換部３４３に出力する。
【００６９】
このように、彩度変換部３４２では、フレームごとの画像の状態に応じて彩度信号Ｓ１を変換する。例えばフレームごとの画像が全体的に彩度の低い画像であれば、全体的に彩度を高くする余裕があるとして、彩度変換部３４２は、その彩度が大きくなるように変換する。このとき、バックライト調整部３９０は、データ解析部３８０からの制御信号により画像の状態に応じてバックライト２０の発光光量を下げる。これにより、実際に見える画像の状態を変化させずにバックライト２０の発光光量を下げることによる省電力効果が図れる。
【００７０】
図１６は、第２色空間変換部３４３の内部構成の一例を示すブロック図である。
第２色空間変換部３４３は、輝度変換部３４１から出力される輝度信号Ｉ’と、彩度変換部３４２から出力される彩度信号Ｓ１’と、全領域色空間変換部３０５から出力される色相信号Ｈおよび彩度信号Ｓ２と、パラメータ決定部３６０から出力されるパラメータ値を基に、ＲＧＢからなる色の各成分信号である成分信号Ｒ’と成分信号Ｇ’と成分信号Ｂ’を生成して減色処理部３４４へ出力するものであり、最大値計算部３４３１と、中間値計算部３４３２と、最小値計算部３４３３と、データ選択部３４３４を備える。
【００７１】
最大値計算部３４３１、中間値計算部３４３２および最小値計算部３４３３は、最大値、中間値および最小値をそれぞれの計算し、計算結果である最大値、中間値および最小値をデータ選択部３４３４に出力する。このとき、上述したパラメータ値は、最大値計算部３４３１、中間値計算部３４３２、最小値計算部３４３３のそれぞれにおいて異なる値となる。
【００７２】
データ選択部３４３４は、全領域色空間変換部３０５から出力される色相信号Ｈに基づいて、最大値計算部３４３１と、中間値計算部３４３２と、最小値計算部３４３３から出力される計算結果である最大値、中間値および最小値を選択して、色のＲＧＢ成分を示す成分信号Ｒ’、成分信号Ｇ’、成分信号Ｂ’として減色処理部３４４に出力する。
図１７は、減色処理部３４４の構成を示すブロック図である。
【００７３】
減色処理部３４４は、第２色空間変換部３４３が出力する色の成分信号Ｒ’、成分信号Ｇ’および成分信号Ｂ’を取得して、それぞれの成分信号における色の階調を変更して出力信号選択部３５０へ出力するものであり、Ｒ成分減色部３４４１と、Ｇ成分減色部３４４２と、Ｂ成分減色部３４４３とを備える。減色処理部３４４は、例えば、各成分信号が８ビットの信号である場合、液晶表示画面が表示可能である各５ビットの信号にディザ処理を施して変更する。
【００７４】
Ｒ成分減色部３４４１、Ｇ成分減色部３４４２およびＢ成分減色部３４４３は、パラメータ決定部３６０が決定したパラメータ値に応じて、第２色空間変換部３４３から出力された色の成分信号Ｒ’、成分信号Ｇ’、成分信号Ｂ’における色の階調をそれぞれ変更し、階調変更後の成分信号Ｒ”、成分信号Ｇ”、成分信号Ｂ”からなる画像信号を出力信号選択部３５０に出力する。
【００７５】
このとき、パラメータ決定部３６０は、ユーザからの入力に応じてパラメータ値を設定する。また、パラメータ決定部３６０は、フレームごとの画像の状態に応じてこのパラメータを変更できる。
図１８は、第２色空間変換部３４３から出力された色の成分信号が、Ｒ成分減色部３４４１と、Ｇ成分減色部３４４２と、Ｂ成分減色部３４４３で色の階調の変更がなされる場合の一例を示す図である。
【００７６】
この例では、色の階調が８ビットである成分信号を、Ｒ成分減色部３４４１と、Ｇ成分減色部３４４２と、Ｂ成分減色部３４４３で効果的な減色処理（例えば、ディザ処理）を施し、色の階調が５ビットである成分信号に変更している。つまり、切り捨てられる３ビットを３捨４入することでＬＳＢの値を調整するようにしている。
【００７７】
図１９は、液晶表示制御装置３０に画像信号が入力されてから、画像メモリ３１０に書き込むデータ、画像メモリ３１０から読み出すフレーム、更新領域画像状態検出部３２０で処理するデータ、周辺領域画像状態検出部３３０で処理するデータ、液晶表示画面１０に出力するフレーム、バックライト２０に設定するデータの一例を示した図である。なお、図１９（ａ）は垂直同期信号を、図１９（ｂ）は入力映像信号を、図１９（ｃ）は画像メモリ３１０に書き込むデータを、図１９（ｄ）は画像メモリ３１０から読み出す１フレームのデータを、図１９（ｅ）は更新領域画像状態検出部３２０が処理するデータを、図１９（ｆ）は周辺領域画像状態検出部３３０が処理するデータを、図１９（ｇ）は液晶表示画面１０に表示する１フレームのデータを、図１９（ｈ）はバックライト２０に設定する値を、それぞれ示している。
【００７８】
図１９に示した例では、入力される画像信号は、フレームの切り替わりを表す垂直同期信号ごとに入力され、入力される画像信号が液晶表示画面１０のどこの領域であるかの情報もパラメータ決定部３６０からユーザの指示に基づいて入力される。
図１９に示すように、液晶表示画面１０に出力するフレームは、入力された画像信号を画像メモリ３１０に書き込んだデータが、次の垂直同期信号のタイミングで画像メモリ３１０から読み出したものである。液晶表示制御装置３０に画像信号が入力されると、更新領域画像状態検出部３２０が入力された画像信号の更新領域を処理し、周辺領域画像状態検出部３３０が入力された画像信号の周辺領域を処理することで、次の垂直同期信号のタイミングでデータ解析部３８０がバックライトの値を算出している。
【００７９】
従来の液晶表示装置では、バックライト２０に設定する値を、液晶表示画面１０に出力するフレームで算出したものと一致するために。毎フレームのデータをスキャンするためにメモリアクセスの増加があったが、本発明の液晶表示装置では、少ないメモリアクセスで実現することができる。
また、入力される画像信号の周辺領域が変化していないときは、周辺領域画像状態検出部３３０の検出結果を使い回し、更新領域画像状態検出部３２０だけを動作させるだけで１フレーム分の画像の状態を取得できるので、さらに少ないメモリアクセスで省電力効果を実現することができる。
【００８０】
携帯電話機に代表される携帯情報端末において、１フレームごとに更新される画像信号は、特定の領域であることが一般的である。本発明の液晶表示装置は、携帯電話機に代表される携帯情報端末において、非常に実現性があり、効果が絶大である。
なお、この実施の形態に係る液晶表示装置１においては、領域の移動の際に周辺領域画像状態検出部３３０で周辺領域の画像の状態を検出し直すようにしているが、輝度の最大値、合計値等について変化がない場合や変化がわずかである場合が多いので、元の検出結果を使い回すようにしてもよい。これによっても、データ解析に要する時間を短くし、しかも負荷を軽減することができる。
【００８１】
また、上記実施の形態においては画像メモリ制御部３００から周辺領域画像状態検出部３３０に全領域の画像信号を入力するようにしたが、周辺領域だけの画像信号を入力するようにしてもよい。これにより、更新領域の画像信号転送の無駄をなくすことができる。
また、上記実施の形態においては画像メモリ制御部３００のメモリアクセス部３０１から全領域増色処理部３０４に全領域の画像信号を転送したが、周辺領域だけの画像信号を転送するようにしてもよい。この場合、全領域色空間変換部３０５から周辺領域の画像信号を画像信号変換部３４０に出力し、更新領域色空間変換部３０３から更新領域の画像信号を画像信号変換部３４０に出力するようにすればよい。
【００８２】
また、上記実施の形態においては液晶表示制御装置３０に入力される更新領域の画像が動画として説明したが、動画に限られず、静止画のスライドショーおよびウェブサイトのブラウズ画像の何れかであってもよい。
また、上記実施の形態では、更新領域は、ユーザ操作に基づくパラメータで設定される場合について説明したが、更新領域はその更新領域に表示すべき画像の画像信号に付加される付加情報（例えば図２に示される更新領域の始点座標（ｘｓ，ｙｓ）と終点座標（ｘｅ，ｙｅ））に基づいて設定される構成としてもよい。
【産業上の利用可能性】
【００８３】
本発明の液晶表示制御装置は、ノートパソコンや携帯電話機などに用いられるバックライト型液晶表示画面のドライバＩＣ等として有用である。
【図面の簡単な説明】
【００８４】
【図１】本発明の液晶表示装置の構成を示すブロック図である。
【図２】１フレームの出力画像信号および入力画像信号を示す説明図である。
【図３】画像メモリ制御部３００の構成を示すブロック図である。
【図４】メモリアクセス部３０１によって処理される入力画像信号のデータフローを示すブロック図である。
【図５】更新領域増色処理部３０２の構成を示すブロック図である。
【図６】全領域増色処理部３０４の構成を示すブロック図である。
【図７】各色の成分信号の階調を変更する前後における画素ごとの画素信号の様子を示す図である。
【図８】色の成分の階調を変更するときの一例を示す模式図である。
【図９】更新領域色空間変換部３０３の構成を示すブロック図である。
【図１０】全領域色空間変換部３０５の構成を示すブロック図である。
【図１１】最大値検出部３２１の構成を示すブロック図である。
【図１２】合計値計算部３２２の構成を示すブロック図である。
【図１３】最大値検出部３３１の構成を示すブロック図である。
【図１４】合計値計算部３３２の構成を示すブロック図である。
【図１５】画像信号変換部３４０の構成を示すブロック図である。
【図１６】第２色空間変換部３４３の内部構成の一例を示すブロック図である。
【図１７】減色処理部３４４の構成を示すブロック図である。
【図１８】色の階調の変更がなされる場合の一例を示す図である。
【図１９】液晶表示制御装置３０の洋舞におけるデータ等の一例を示したタイミングチャートを示す図である。
【図２０】従来の液晶表示装置の構成を示すブロック図である。
【符号の説明】
【００８５】
１              液晶表示装置
１０            液晶表示画面
２０            バックライト
３０            液晶表示制御装置
３００          画像メモリ制御部
３１０          画像メモリ
３２０          更新領域画像状態検出部
３２１，３３１  最大値検出部
３２２，３３２  合計値計算部
３３０          周辺領域画像状態検出部
３４０          画像信号変換部
３５０          出力信号選択部
３６０          パラメータ決定部
３７０          ディスプレイコントローラ
３８０          データ解析部
３９０          バックライト調整部
【図１】
2005084540.tif 000003
【図２】
2005084540.tif 000004
【図３】
2005084540.tif 000005
【図４】
2005084540.tif 000006
【図５】
2005084540.tif 000007
【図６】
2005084540.tif 000008
【図７】
2005084540.tif 000009
【図８】
2005084540.tif 000010
【図９】
2005084540.tif 000011
【図１０】
2005084540.tif 000012
【図１１】
2005084540.tif 000013
【図１２】
2005084540.tif 000014
【図１３】
2005084540.tif 000015
【図１４】
2005084540.tif 000016
【図１５】
2005084540.tif 000017
【図１６】
2005084540.tif 000018
【図１７】
2005084540.tif 000019
【図１８】
2005084540.tif 000020
【図１９】
2005084540.tif 000021
【図２０】
2005084540.tif 000022